【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
筒状部材及び内側スリーブを具備する骨プレートを保持するための装置であって、
前記筒状部材は、
前端部及び後端部を有する円筒形ボディと、
前記前端部内の先端開口部と、
前記後端部内の後端開口部と、
前記先端開口部と前記後端開口部を結合する前記ボディ内の通路と
前記円筒形ボディの前端部の周縁回りに配置されて前記前端部から軸方向の後方に延びている少なくとも２本の長手方向のスロットと、を備え、前記スロットの少なくとも一部は、該スロットが前記通路に開口する開口部を形成するように前記円筒形ボディを通して延びており、
前記後端開口部の回りに配置されたフランジを更に備え、
前記内側スリーブは、前記筒状部材の前記通路内にスライド可能に配置され、
前端部と、
後端部と、
前記後端部の回りに配置されたフランジと、
前記内側スリーブの前記前端部から延び前記筒状部材の前記前端部の前記長手方向のスロットと位置合わせされている少なくとも２本の実質的に長手方向のフィンガーと、を備え、
それにより、前記内側スリーブが前記筒状部材内で前方にスライドすると、前記フィンガーが軸方向前方に、且つ半径方向外向きに延び、前記内側スリーブが前記筒状部材内で後方にスライドすると、前記フィンガーが軸方向の後方に半径方向内向きに縮み、
前記フィンガーの末端部に形成され、且つ半径方向内側に曲げられている先端を更に備える、
ことを特徴とする骨プレートを保持するための装置。
【請求項２】
前記フィンガーが縮むと、前記筒状部材の前記前端部に対して、前記骨プレートの前記外周に、前記先端が係合することを特徴とする請求項１記載の装置。
【請求項３】
前記筒状部材の前記フランジと前記内側スリーブの前記フランジの間に、前記内側スリーブの回りに配置されたスプリングを有することを特徴とする請求項１記載の装置。
【請求項４】
前記スロットは傾斜部を有し、前記傾斜部が、前記後端部から前記前端部へ長手方向において半径方向外向きに傾斜していることを特徴とする請求項１記載の装置。
【請求項５】
前記フィンガーが縮めた位置にあるときに、前記先端が前記凹部に係合するように、前記筒状部材が、前記円筒形ボディの前端部において前記円筒形ボディの外面上に凹部を有しており、前記フィンガーが縮めた位置にあるときに、前記先端が前記凹部に係合することを特徴とする請求項１記載の装置。
【請求項６】
前記筒状部材の前記前端部が、前記先端開口部の外面回りの面取りをしたエッジを有することを特徴とする請求項１記載の装置。
【請求項７】
前端部と後端部を有するボディ、前記前端部上の先細の先端、前記の後端部の周縁に配置されたフランジ、を備えるロッドを具備し、
前記ロッドの前記後端部上の前記フランジが前記内側スリーブの前記後端部上の前記フランジ上に置かれるように、前記内側スリーブを通って延びている通路に前記ロッドがスライド可能に挿入されていることを特徴とする請求項１記載の装置。
【請求項８】
ハンドルを具備し、前記ハンドルは環状開口部を有し、前記筒状部材が前記環状開口部を通って挿入され、前記ハンドルに固定されることを特徴とする請求項１記載の装置。
【請求項９】
前記筒状部材に対して、前記内側スリーブを前向きにスライドする運動を動作させるためにラチェット機構を具備することを特徴とする請求項８記載の装置。
【請求項１０】
骨プレートを保持する器具であって、
前端部及び後端部を有し、前記前端部が先端を有し、前記後端部がフランジを有する筒状部材と、
前記筒状部材内にスライド可能に配置され、前端部及び後端部を有し、前記後端部がフランジを有する内側スリーブと、
前記内側スリーブの前記前端部から延びている少なくとも２個の実質的に長手方向のフィンガーであって、前記フィンガーが前記筒状部材の前記先端を通って突出すと、前記フィンガーが半径方向外向きに拡大するように付勢され、これにより前記内側スリーブが前方にスライドすると前記フィンガーが伸び且つ前記内側スリーブが後方にスライドすると、縮むようになるフィンガーと、
前記フィンガーの前端部上に設けられた先端と、を具備し、前記フィンガーの前記先端が、前記骨プレートの穴の内側周縁部に係合するように半径方向外向きに曲げられている、ことを特徴とする骨プレートを保持する器具。
【請求項１１】
前記筒状部材の前記フランジと前記内側チューブの前記フランジの間に配置されたスプリングを備えることを特徴とする請求項１０記載の器具。
【請求項１２】
前記筒状部材の前記前端部が面取りしたエッジを有する先端を具備することを特徴とする請求項１０記載の器具。
【請求項１３】
前端部と後端部を有するロッドを具備し、前記前端部が先細の先端を有し、前記後端部がフランジを有し、前記ロッドが前記内側スリーブの中でスライド可能に挿入され、前記ロッドの前記後端部上の前記フランジが前記内側スリーブの前記後端部上の前記フランジ上に置かれ、前記先端が前記筒状部材の前記先端を通って前方に延びることを特徴とする請求項１０記載の器具。
【請求項１４】
環状開口部を有するハンドルを具備し、前記筒状部材が前記環状開口部を通ってスライドして、前記ハンドルに固定されることを特徴とする請求項１０記載の器具。
【請求項１５】
前記筒状部材に対する前記内側スリーブの前方へスライドする動きを作動させるためにラチェット機構を、前記ハンドルが備えることを特徴とする請求項１４記載の器具。
【請求項１６】
前面と、
裏面と、
骨の締結材を受けるために前記プレートを通って前記前面から前記裏面に延びている少なくとも１個の穴と、
前記穴に隣接した前記プレートの前記外周の回りの前記裏面上の凹部であって前記前面に実質的に平行な面を有する凹部と、
を具備することを特徴とする骨プレート。
【請求項１７】
前記前面が、前記の穴の周縁部回りに面取りをしていることを特徴とする請求項１６記載の骨プレート。
【請求項１８】
前面と、
裏面と、
骨の締結具を受けるために前記プレートを通って前記前面から前記裏面まで延びる少なくとも１個の穴と、
前記の穴に隣接している少なくとも２個所の凹部であって前記の穴と軸方向で平行に配置される凹部と、
を具備することを特徴とする骨プレート。
【請求項１９】
前記前面が前記の穴の周縁部の回りを面取りしている特徴とする請求項１８記載の骨プレート。
【請求項２０】
前面、裏面及び骨の締結具を受けるための少なくとも１個の穴を有する骨プレートであって前記穴は前記プレートを通って前記前面から前記裏面に伸び、前記裏面が前記プレートの外周縁部上に凹部を有する骨プレートと、
前記骨プレートを保持するための装置と、を具備し、
前記骨プレートを保持する装置は、先端のある前端部とフランジのある後端部を有する筒状部材、前記筒状部材の前記前端部の周縁回りに配置された少なくとも２本の長手方向のスロット、前記筒状部材の内部にスライド可能に配置され前端部及びフランジのある後端部を有する内側スリーブ、及び前記内側スリーブの前記前端部から延びている少なくとも２個の実質的に長手方向のフィンガー、を備え、それにより、前記フィンガーは、前記内側スリーブが前方にスライドすると伸び、前記内側スリーブが後方にスライドすると縮み、前記フィンガーは半径方向内向きに曲げられた先端を有し、前記フィンガーの前記先端が、前記骨プレートの前記外周上の前記凹部と係合することを特徴とする骨を固定するための器具。
【請求項２１】
前記前面は、前記の穴の周縁部回りが面取りされ、前記筒状部材の前記先端が、前記穴の周縁部回りの前記面取りをした面の上に配置されている面取りをしたエッジを有していることを特徴とする請求項２０記載の器具。
【請求項２２】
前記装置は、前記筒状部材の前記フランジと前記内側チューブの前記フランジの間に配置されたスプリングを有し、前記スプリングが前記フランジを離すように押圧することを特徴とする請求項２０記載の器具。
【請求項２３】
前記フィンガーが半径方向外向きに曲げられて、前記フィンガーが前記筒状部材の前記前端部の前記長手方向のスロットを通って突き出ることを特徴とする請求項２０記載の器具。
【請求項２４】
骨プレートおよび骨プレートを保持する装置を有する骨を固定するための器具であって、
前記骨プレートは、前面、後面、骨の締結具を受けるための少なくとも１個の穴、および前記穴に隣接した少なくとも２個の凹部を有し、前記穴は前記のプレートを通って前記前面から前記後面に延び、前記凹部は前記穴に軸方向で平行に配置されて前記前面から前記裏面に半径方向外向きに伸び、前記前面は前記穴の周縁回りが面取りされ、前記裏面は前記プレート内の前記穴の外側周縁部に凹部を有し、
前記骨プレートを保持する装置は、前記穴の前記周縁部の回りの前記面取りをした面の上に置かれた面取りをしたエッジ付きの先端のある前端部とフランジのある後端部を有する筒状部材、
前記筒状部材の前記前端部の周辺回りに配置された少なくとも２本の長手方向のスロット、
前記筒状部材の中にスライド可能に配置され前端部とフランジのある後端部を有する内側スリーブ、及び
前記内側スリーブの前記前端部から延びていて前記フィンガーが前記筒状部材の前記先端を通って突出すると、半径方向外向きに伸びるように偏る少なくとも２本の実質的に長手方向のフィンガー、を具備し、それにより、前記フィンガーは、前記内側スリーブが前方にスライドすると伸び且つ拡大し、前記内側スリーブが後方にスライドすると縮み、前記フィンガーは、前記骨プレート内で拡大すると、前記骨プレート内の前記穴に隣接した前記凹部に係合するように半径方向外向きに曲げられた先端を有することを特徴とする骨プレートを保持する器具。
【請求項２５】
前記筒状部材の前記フランジと前記内側チューブの前記フランジの間に配置されたスプリングを備え、前記スプリングが前記フランジとは別個に偏ることを特徴とする請求項２４記載の器具。
【請求項２６】
筒状部材及び内側スリーブを具備する骨プレートを保持するための装置であって、
(a)前記筒状部材は、
前端部及び後端部を有する円筒形ボディと、
前記前端部内の先端開口部と、
前記後端部内の後端開口部と、
前記先端開口部と前記後端開口部を結合する前記ボディ内の通路と
前記円筒形ボディの前端部の周縁回りに配置されて前記前端部から軸方向の後方に延びている少なくとも２本の長手方向のスロットと、を備え、前記スロットの少なくとも一部は、該スロットが前記通路に開口する開口部を形成するように前記円筒形ボディを通して延びており、
前記後端開口部の回りに配置されたフランジを更に備え、
(b)前記内側スリーブは、前記筒状部材の前記通路内にスライド可能に配置され、
前端部と、
後端部と、
前記後端部の回りに配置されたフランジと、
前記内側スリーブの前記前端部から延び前記筒状部材の前記前端部の前記長手方向のスロットと位置合わせされている少なくとも２本の実質的に長手方向のフィンガーと、を備え、
前記フィンガーの末端部に形成され、且つ半径方向内側に曲げられている先端と、を備え、
それにより、前記内側スリーブが前記筒状部材内で前方にスライドすると、前記フィンガーが長手方向前方に、且つ半径方向外向きに伸び、前記内側スリーブが前記筒状部材内で後方にスライドすると、前記フィンガーが長手方向後方に半径方向内向きに縮む、
ことを特徴とする骨プレートを保持するための装置。
【請求項２７】
前記フィンガーが縮むと、前記筒状部材の前記前端部に対して、前記骨プレートの前記外周に、前記先端が係合することを特徴とする請求項２６記載の装置。
【請求項２８】
前記筒状部材の前記フランジと前記内側スリーブの前記フランジの間に、前記内側スリーブの回りに配置されたスプリングを更に有することを特徴とする請求項２６記載の装置。
【請求項２９】
前記スロットは傾斜部を有し、前記傾斜部が、前記後端部から前記前端部へ長手方向において半径方向外向きに傾斜していることを特徴とする請求項２６記載の装置。
【請求項３０】
前記フィンガーが縮めた位置にあるときに、前記先端が前記凹部に係合するように、前記筒状部材が、前記円筒形ボディの前端部において前記円筒形ボディの外面上に凹部を有しており、前記フィンガーが縮めた位置にあるときに、前記先端が前記凹部に係合することを特徴とする請求項２６記載の装置。
【請求項３１】
前記筒状部材の前記前端部が、前記先端開口部の外面回りの面取りをしたエッジを有することを特徴とする請求項２６記載の装置。
【請求項３２】
前端部と後端部を有するボディ、前記前端部上の先細の先端、前記の後端部の周縁に配置されたフランジ、を備えるロッドを具備し、
前記ロッドの前記後端部上の前記フランジが前記内側スリーブの前記後端部上の前記フランジ上に置かれるように、前記内側スリーブを通って延びている通路に前記ロッドがスライド可能に挿入されていることを特徴とする請求項２６記載の装置。
【請求項３３】
ハンドルを具備し、前記ハンドルは環状開口部を有し、前記筒状部材が前記環状開口部を通って挿入され、前記ハンドルに固定されることを特徴とする請求項２６記載の装置。
【請求項３４】
前記筒状部材に対して、前記内側スリーブを前向きにスライドする運動を動作させるためにラチェット機構を具備することを特徴とする請求項３３記載の装置。
【請求項３５】
前記フィンガーの先端が、開くように付勢されていることを特徴とする請求項２６記載の装置。
【請求項３６】
前記フィンガーの先端が、閉じるように付勢されていることを特徴とする請求項２６記載の装置。